(57)【要約】【課題】本発明は、テレビを通じて視聴者に対して商品やサービスを効率的に販売することができるショッピングオンデマンドシステムの提供を課題とする。【解決手段】視聴者の家庭等に設置されたテレビジョン装置６０と、該テレビジョン装置６０に接続された電子マネー媒体を読み取るための読取装置６１と、テレビジョン装置６０に対してネットワークを介して商品やサービスに関する情報番組を配信するサーバ群１と、電子マネー媒体の決済を行う電子マネー決済システム４０とを備える。サーバ群１からテレビジョン装置６０に商品またはサービスに関する情報番組を配信し、当該情報番組に基づいて商品またはサービスを購入するに際して、視聴者の前記電子マネー媒体を読取装置６１により読み取り、その読み取った情報に基づいて前記電子マネー決済システム４０により決済を行うものとなされている。【選択図】図１
2008305069.tif 000002
【特許請求の範囲】
【請求項１】
視聴者の家庭等に設置されたテレビジョン装置と、
該テレビジョン装置に接続された電子マネー媒体を読み取るための読取装置と、
前記テレビジョン装置に対してネットワークを介して商品やサービスに関する情報番組を配信するサーバ装置と、
電子マネー媒体の決済を行う電子マネー決済装置とを備え、
前記サーバ装置からテレビジョン装置に商品またはサービスに関する情報番組を配信し、当該情報番組に基づいて商品またはサービスを購入するに際して、視聴者の前記電子マネー媒体を読取装置により読み取り、その読み取った情報に基づいて前記電子マネー決済装置により決済を行うものとなされていることを特徴とするショッピングオンデマンドシステム。
【請求項２】
前記サーバ装置は、視聴者ごとに当該視聴者に関する情報と当該視聴者の電子マネー媒体とを関連付けて記憶するものとなされている請求項１に記載のションピングオンデマンドシステム。
【請求項３】
さらにＩＣポイントカード等にポイント付加するポイント管理装置が設けられ、前記テレビジョン装置に表示された商品またはサービスに関する情報番組を視聴した視聴者について、該視聴者の電子マネー媒体を読取装置により読み取り、その読み取った情報に基づいて前記ポイント管理装置により当該視聴者のＩＣポイントカード等にポイントを付加するものとなされている請求項１または請求項２に記載のショッピングオンデマンドシステム。
【請求項４】
前記サーバ装置は、どの時間帯にどの商品紹介番組が視聴されたかを把握するものとなされている請求項１ないし請求項３のいずれかに記載のショッピングオンデマンドシステム。
【発明の詳細な説明】
【技術分野】
【０００１】
本発明は、いわゆる電子マネー媒体を利用してテレビショッピングを行うことができるショッピングオンデマンドシステムに関する。
【背景技術】
【０００２】
近年、インターネット技術やハードウェア技術の急速な発展が目覚ましいが、この発展の中でＥｄｙカード（登録商標）やおサイフケータイ（登録商標）などの電子マネー媒体が登場してきている。
【０００３】
例えば、電子マネー媒体のＥｄｙカードは、例えば非接触ＩＣ技術「フェリカ」（登録商標）を活用したプレイペイド型電子マネーであり、自分の財布に金銭を入れるようにしてチャージ（入金）し、専用の読取装置にかざすことにより金銭を支払うことができるものである。また、電子マネー媒体のおサイフケータイとは、「ｉモード フェリカ 対応携帯電話」のことであり、今まで財布に入れていたお金やカードなどの「機能」を、1つにまとめて持ち歩くことができるものである。この他にも様々な電子マネー媒体が各社から出されている。
【０００４】
これら電子マネー媒体は、クレジットカードの代用のほか、コンビニエンスストアやスーパーマーケット等での買い物、自動販売機での買い物、飛行機・乗車券・定期券の購入、コンサート・映画・アミューズトのチケットの購入、カラオケ等のアミューズメント施設の会員証、マンションの鍵や社員証・学生証、インターネットにおける決済として様々な場所で使用されている。
【０００５】
一方、様々な商品をテレビを通じて提供するテレビショッピングも多く利用されている。このテレビショッピングは、ナビゲータやゲストが家電製品、寝具類、宝飾類など視聴者が興味をひく商品をテレビを通じて紹介し、視聴者から電話やＦＡＸによって受注し、クレジットカード、代引きあるいは銀行振込によって決済を行っている（例えば、特許文献１参照）。
【０００６】
【特許文献１】特開平８−１６３５１９
【発明の開示】
【発明が解決しようとする課題】
【０００７】
しかしながら、従来のテレビショッピングでは上述のようにクレジットカード、代引きあるいは銀行振込を使用するものであるため商品購入に手軽感が低い上に、注文主や送付先などの視聴者情報を注文の都度伝えなければならず面倒であった。また、従来のテレビショッピングで商品を紹介する場合、視聴者の都合のよい時に視聴できなかったり、時間の制約を受けて説明が足りなかったり、あるいは紹介される商品自体の種類も少ないものであった。このことから視聴者に対してテレビを通じて商品を決して効率的に販売できているものではないという問題があった。このような問題はサービスについても同様に生じるものである。
【０００８】
本発明は、上述の問題に鑑みてなされたものであって、テレビを通じて視聴者に対して商品やサービスを効率的に販売することができるショッピングオンデマンドシステムの提供を課題とする。
【課題を解決するための手段】
【０００９】
本発明は、上記課題を解決するために、視聴者の家庭等に設置されたテレビジョン装置と、該テレビジョン装置に接続された電子マネー媒体を読み取るための読取装置と、前記テレビジョン装置に対してネットワークを介して商品やサービスに関する情報番組を配信するサーバ装置と、電子マネー媒体の決済を行う電子マネー決済装置とを備え、前記サーバ装置からテレビジョン装置に商品またはサービスに関する情報番組を配信し、当該情報番組に基づいて商品またはサービスを購入するに際して、視聴者の前記電子マネー媒体を読取装置により読み取り、その読み取った情報に基づいて前記電子マネー決済装置により決済を行うものとなされていることを特徴とする。
【００１０】
また、前記サーバ装置は、視聴者ごとに当該視聴者に関する情報と当該視聴者の電子マネー媒体とを関連付けて記憶するものとなされているのが好ましい。
【００１１】
さらにＩＣポイントカード等にポイントを付加するポイント管理装置が設けられ、前記テレビジョン装置に表示された商品またはサービスに関する情報番組を視聴した視聴者について、該視聴者の電子マネー媒体を読取装置により読み取り、その読み取った情報に基づいて前記ポイント管理装置により当該視聴者のＩＣポイントカード等にポイントを付加するものとなされているのが好ましい。
【００１２】
また、前記サーバ装置は、どの時間帯にどの商品紹介番組が視聴されたかを把握するものとなされているのが好ましい。
【発明の効果】
【００１３】
本発明によれば、視聴者の都合の良い時間に興味のある商品やサービスの紹介番組を視聴することができるため、視聴者のニーズに応じた商品紹介が可能となる。
【００１４】
また、テレビによる商品紹介番組の放送であるため、パーソナルコンピュータのモニタとは違い高画質で手軽に視聴することができるため、商品の魅力を効果的に伝えることが可能となり視聴者の購買意欲を向上させることができる。
【００１５】
さらに商品紹介番組を単に配信するだけではなく、双方向機能を生かしてどの時間帯にどの商品紹介番組が視聴されたかを把握することができるため、通信販売事業に一番重要になる視聴者ニーズの調査が効果的に行うことができ、商品企画・販売戦略に反映させることができる。
【発明を実施するための最良の形態】
【００１６】
次に本発明に係る一実施形態について説明する。
【００１７】
図１は、本実施形態に係るショッピングオンデマンドシステム（以下、本システムという）の構成概略図である。
【００１８】
本システムは、各種サーバが設けられたサーバ群（１）が設けられ、該サーバ群（１）に商品サプライヤーの商品管理端末（２０）と、配送会社の配送管理データベース（３０）および配送管理システム（３１）と、電子マネー運営会社の電子マネー決済システム（４０）と、ポイント発行会社のポイント管理システム（５０）と、一般視聴者のテレビジョン装置（６０）とがインターネット等のネットワークを介して通信可能な状態で接続されている。
【００１９】
前記商品サプライヤーの商品管理端末（２０）は、商品サプライヤーがサーバ群（１）における商品管理を行うためのものであり、サーバ群（１）から商品出荷指示を受けたり、サーバ群（１）に対して商品出荷後に商品出荷完了データを送信したりする。
【００２０】
前記配送会社の配送管理データベース（３０）および配送管理システム（３１）は、商品の配送に関して管理を行うものであり、サーバ群（１）から商品出荷指示を受けたり、サーバ群（１）に対して商品配送状況のデータを送信したりする。なお、サーバ群（１）から商品出荷指示を受けた場合には商品サプライヤーから集荷を行い、注文した視聴者に対して商品を発送する。
【００２１】
前記電子マネー運営会社の電子マネー決済システム（４０）は、サーバ群（１）から視聴者の電子マネー決済処理の依頼を受けた場合に、当該視聴者の電子マネー媒体の識別番号等に基づいて所定の金額の決済処理を実行するものである。決済処理を実行したあとは、サーバ群（１）に対して電子マネー決済が終了したことを通知する。
【００２２】
前記ポイント発行会社のポイント管理システム（５０）は、サーバ群（１）から視聴者のポイント付与に関するデータが送信されてきた場合に、当該視聴者のＩＣポイントカード（アプリ）等に対してポイントを付与するものである。特に本実施形態では、前記テレビジョン装置（６０）に表示された商品またはサービスに関する情報番組を視聴した視聴者について、該視聴者の電子マネー媒体を読取装置（６１）により読み取り、その読み取った情報に基づいて前記ポイント管理装置により当該視聴者のＩＣポイントカード（アプリ）等にポイントを付加するものとなされている。
【００２３】
前記テレビジョン装置（６０）は、「ＩＰ−ＳＴＢ」を介したり、「ＩＰ−ＳＴＢ」を内蔵したり、あるいはその他の装置を介したりしてインターネット等のネットワークに接続可能なものである。サーバ群（１）から配信されてきた情報番組を表示して、視聴者が所望の番組を視聴したり、商品やサービスを注文できるようになっている。
【００２４】
また、このテレビジョン装置（６０）には電子マネー媒体を読み取る読取装置（６１）が接続されている。電子マネー媒体には、「Ｅｄｙカード」「おサイフ携帯」など各社から発行されているものである。電子マネー媒体を所定の操作後に読取装置（６１）にかざすと、当該読取装置（６１）が電子マネー媒体の識別情報等を読み取り、それがテレビジョン装置（６０）から「ＩＰ−ＳＴＢ」等を介してサーバ群（１）に送信されるようになっている。
【００２５】
前記サーバ群（１）は、Ｗｅｂサーバ（１１）、ライブサーバ（１２）、ストレージサーバ（１３）、レコードサーバ（１４）、バックオフィスシステム（１５）、ＶｏＤストリーミングサーバ（１６）、各種データベースサーバ（１７）からなる。
【００２６】
前記Ｗｅｂサーバ（１１）は、Ｗｅｂファイルなどを管理するものである。会員登録した視聴者でテレビジョン装置（６０）とインターネット接続環境があれば指定のＵＲＬを入力してどこでも利用できるようにＷｅｂＢｒｏｗｓｅｒＢａｓｅ（Ｉｎｔｅｒｎｅｔ  Ｅｘｐｌｏｒｅ等）で動作させるためにＷｅｂファイルで管理するようになっている。
【００２７】
前記ライブサーバ（１２）は、情報番組における商品やサービスの中継画像や録画を視聴者のテレビジョン装置（６０）からの要求に応じてネットワークを介して送信するものである。
【００２８】
前記ストレージサーバ（１３）は、情報番組の中継画像などを記録（録画）するものであり、前記レコードサーバ（１４）は該ストレージサーバ（１３）に中継画像などを記録（録画）させるものである。これにより視聴者が生の中継画像をタイムリーに閲覧できない場合でも、ストレージサーバ（１３）に録画した中継画像をライブサーバ（１２）を介して閲覧することができ、中継時から時間をおいても商品を注文することが可能となる。
【００２９】
前記バックオフィスシステム（１５）は、コールセンター注文ＩＦ，商品登録・管理ＩＦ、視聴者管理ＩＦなどからなり、流通仕組みの受発注を行うためのソフトウェアを管理するようになっている。コールセンター注文ＩＦは受発注データ（商品名、個数、送付先等）の登録プログラム、商品登録・管理ＩＦは商品の登録プログラム、視聴者管理ＩＦは視聴者情報を登録するためのプログラムである。
【００３０】
前記ＶｏＤストリーミングサーバ（１６）は、映像や音声のストリーミング配信を行なうサーバである。多数の視聴者のテレビジョン装置（６０）に対して、同時にストリーミング方式のマルチメディアデータを配信することができる。
【００３１】
前記各種データベース（１７）は、視聴者に関する情報を管理するための視聴者管理データベースと、商品に関する情報を管理するための商品管理データベースと、注文に関して管理する注文管理データベースとを備える。これにより視聴者、商品および注文に関してデータベースとして蓄積することができ、次回の受発注や視聴者層や商品層の分析などに利用可能となる。
＜本システムの動作の概要＞
【００３２】
次に本システムの動作の概要について図１を参照しつつ説明する。なお、図１の丸数字は下記説明の［１］〜［２０］に対応するものである。
【００３３】
［１］視聴者のテレビジョン装置（６０）がサーバ群（１）に対して情報番組などの商品情報を要求する。
［２］サーバ群（１）からテレビジョン装置（６０）に対して静止画・テキスト・ＶｏＤなどの商品情報画面が送信される。
［３］視聴者の所定操作によりテレビジョン装置（６０）に所定の商品情報画面が表示され、視聴者の閲覧に供する。
［４］テレビジョン装置（６０）からサーバ群（１）に対して電子マネー媒体のＩＣカード情報を送信する。
［５］サーバ群（１）からテレビジョン装置（６０）に対して会員情報画面が送信され、テレビジョン装置（６０）に表示される。
［６］視聴者が商品情報画面を閲覧した際に所定の操作により商品を注文する。
［７］サーバ群（１）からテレビジョン装置（６０）に対して商品受注確定画面が送信されて、テレビジョン装置（６０）に表示される。
［８］サーバ群（１）からテレビジョン装置（６０）に対して電子マネー決済選択や電子マネー残高照会に関する情報画面が送信されて、テレビジョン装置（６０）に表示される。
［９］サーバ群（１）から電子マネー決済システム（４０）に対して電子マネー決済処理が依頼されて決済が行われる。
［１０］電子マネー決済システム（４０）において決済が終了するとサーバ群（１）に対して電子マネー決済処理通知がなされる。
［１１］サーバ群（１）からテレビジョン装置（６０）に対して電子マネー決済終了通知がなされる。
［１２］サーバ群（１）から商品サプライヤーの商品管理端末（２０）に対して商品出荷指示がなされる。
［１３］それと同時にサーバ群（１）から配送会社の配送管理システム（３１）に対して  商品出荷指示がなされる。
［１４］配送会社は商品出荷指示に基づいて商品サプライヤーから商品を集荷する。
［１５］配送会社または商品サプライやから視聴者に対して商品が配送される。
［１６］商品配送後に商品サプライヤーの商品管理端末（２０）からサーバ群（１）に対して商品出荷完了に関するデータを送信する。
［１７］配送会社の商品管理システム（３１）からサーバ群（１）に対して商品配送状況に関するデータを送信する。
［１８］サーバ群（１）からポイント発行会社のポイント管理システム（５０）に対してポイント付与に関するデータを送信する。
［１９］ポイント管理システム（５０）において注文した視聴者に対応するＩＣポイントカード（アプリ）等に購入額や商品紹介番組の視聴履歴に応じたポイントが付与する。
［２０］視聴者のテレビジョン装置（６０）からサーバ群（１）からポイント残高照会をした場合にサーバ群（１）から当該テレビジョン装置（６０）に対してポイント残高照会に関する画面が送信されて表示される。
＜新規会員登録の流れ＞
【００３４】
次に本システムにおける新規会員登録の流れについて図２〜図６を参照しつつ説明する。なお、テレビジョン装置（６０）に表示される各画面はサーバ群（１）からネットワークを介して配信されてくるものであり、各種画面の切替や選択はテレビジョン装置（６０）に付属のリモコン装置により行われる。
【００３５】
まず、図２に示すように、テレビジョン装置（６０）は、本システムのトップ画面（またはそれに準ずる画面）を表示する。視聴者は「新規登録」のアイコンを選択して、次に進む。
【００３６】
図３に示すように、テレビジョン装置（６０）は、本システムの会員規約が記載された会員規約画面を表示する。視聴者は本画面中の会員規約の内容を読み、それに同意する場合には画面下の「同意する」ボタンを選択して、次に進む。仮に同意しない場合には画面下の「同意しない」ボタンを選択してトップ画面に戻る
【００３７】
図４に示すように、テレビジョン装置（６０）は視聴者の個人情報を入力するための第１の個人情報入力画面を表示する。本画面には氏名、氏名カナ、郵便番号、都道府県、市区町村、住所２（マンション名等）、連絡先（電話番号）を入力するための入力ボックスが表示されている。視聴者は各入力ボックスに必要情報を入力して、入力が完了すれば「次へ」を選択して、次に進む。
【００３８】
図５に示すように、テレビジョン装置（６０）は、視聴者の個人情報を入力するための第２の個人情報入力画面を表示する。本画面にはメールアドレス、クレジットカード、氏名ローマ字、カード番号、有効期限、セキュリティコードを入力するための入力ボックスが表示されている。視聴者は各入力ボックスに必要情報を入力して、入力が完了すれば「次へ」を選択して、次に進む。
【００３９】
図６に示すように、テレビジョン装置（６０）は、入力された個人情報を確認するための個人情報確認画面を表示する。本画面には上記第１および第２の個人情報入力画面に入力された個人情報が表示されている。視聴者は本画面中の個人情報を確認し、問題がなければ「登録」ボタンを選択して、次に進む。一方、問題があった場合には「修正」ボタンを選択して、個人情報の修正を行う。
【００４０】
このように本システムにおいて各視聴者の氏名やクレジットカードなどの個人情報がデータベース的に登録されていくことになる。
＜電子マネー媒体登録の流れ＞
【００４１】
次に本システムにおける電子マネー媒体登録の流れについて図７〜図１３を参照しつつ説明する。なお、電子マネー媒体として「Ｅｄｙカード」の場合について説明する。
【００４２】
まず、図７に示すように、テレビジョン装置（６０）は、本システムのトップ画面（またはそれに準ずる画面）を表示する。視聴者は「新しいユーザの作成」のアイコンボタンを選択して、次に進む。
【００４３】
図８に示すように、テレビジョン装置（６０）は、電子マネー媒体を選択するための電子マネー選択画面を表示する。例えば、視聴者は「Ｅｄｙカード登録」のアイコンボタンを選択して、次に進む。
【００４４】
図９に示すように、テレビジョン装置（６０）は、会員を特定するための会員情報入力画面を表示する。本画面には、１０桁のお客様番号、４桁のパスワードを入力するための入力ボックスが表示されている。視聴者は各入力ボックスにお客様番号とパスワードを入力して、入力が完了すれば「次へ」ボタンを選択して、次に進む。
【００４５】
図１０に示すように、テレビジョン装置（６０）は、会員登録情報を確認するための会員登録情報画面を表示する。本画面には氏名、カナ、郵便番号、都道府県、市区町村、住所２（マンション名等）、連絡先（電話番号）、メールアドレス、クレジットカード、氏名ローマ字、カード番号、有効期限が表示されている。この会員登録情報は上記第１および第２の個人情報入力画面において入力された個人情報であり、上記お客様番号と対応するように関連付けられながらデータベース的に記憶されていたものである。視聴者はこの会員登録情報を確認した上で、問題がなければ「確認」ボタンを選択して、次に進む。一方、問題があった場合は「修正」ボタンを選択して、修正を行う。
【００４６】
図１１に示すように、テレビジョン装置（６０）は、Ｅｄｙカードを確認するためのＥｄｙカード確認画面を表示する。視聴者は、本画面が表示されたときに自己のＥｄｙカードを読取装置（６１）にかざしてＩＣ情報を読み取らせる。この読み取られたＩＣ情報は視聴者の会員登録情報と互いに対応するように関連付けられながらデータベース的に記憶される。
【００４７】
図１２に示すように、Ｅｄｙカードの読み取りが完了すると、テレビジョン装置（６０）は、Ｅｄｙカードの登録確認画面を表示する。本画面にはＥｄｙカードのナンバー、本システムのナンバー、お客様氏名が表示され、最上部に「下記の内容でＥｄｙカードを登録していいですか？」という確認メッセージが表示される。視聴者は、本画面を確認したあと、問題がなければ「登録」ボタンを選択して、次に進む。一方、問題があれば「戻る」ボタンを選択して、修正を行う。
【００４８】
図１３に示すように、Ｅｄｙカードの登録が完了すると、テレビジョン装置（６０）は、登録が完了したことを示す登録完了画面を表示する。本画面には本画面にはＥｄｙカードのナンバー、本システムのナンバー、お客様氏名が表示され、最上部に「下記の内容でＥｄｙカードを登録しました」という確認メッセージが表示される。視聴者はこれらを確認した上で「ＴＯＰ」ボタンを選択して、トップ画面に戻る。
【００４９】
このように各視聴者の会員登録情報と電子マネー媒体情報とを互いに対応するように関連付けながら記憶することができる。
＜本システムの番組視聴によるポイント付加の流れ＞
【００５０】
次に本システムの番組視聴によるポイント付加の流れについて図１４〜図２３を参照しつつ説明する。なお、下記サービスは本システムを利用したサービスの一例である。
【００５１】
まず、図１４に示すように、テレビジョン装置（６０）は、本システムのトップ画面（またはそれに準ずる画面）を表示する。視聴者は「旬材」のアイコンボタンを選択して、次に進む。
【００５２】
図１５に示すように、テレビジョン装置（６０）は、商品を選択するための商品選択画面を表示する。本画面には、「幻の道東産 鮭児」「シングルシード 岩手産」「足摺 四万十産」など水産関係の商品のアイコンボタンが表示されている。視聴者は、各アイコンボタンをスクロールしながら閲覧し、所望の商品があれば当該アイコンボタンをクリックして、次に進む。
【００５３】
図１６に示すように、テレビジョン装置（６０）は、上記商品選択画面と同じ画面において当該商品のアイコンボタンの横に「商品説明」のアイコンボタンを表示する。視聴者は、当該商品の説明を受けたい場合には「商品説明」のアイコンボタンを選択して、次に進む。
【００５４】
図１７に示すように、テレビジョン装置（６０）は、商品情報が記載された商品情報画面を表示する。本画面には、当該商品の説明や写真などの商品情報のほか、「番組視聴」ボタンや「購入」ボタンが表示されている。視聴者は、当該商品の番組を視聴した場合には「番組視聴」ボタンを選択して、次に進む。一方、当該商品を購入した場合には「購入」ボタンを選択して、商品購入画面（図示略）に進む。
【００５５】
図１８に示すように、テレビジョン装置（６０）は、当該商品を紹介した番組をストリーミング再生等の技術により放映して、視聴者の閲覧に供し、番組が終了すると次に進む。
【００５６】
図１９に示すように、テレビジョン装置（６０）は、再び商品情報が記載された商品情報画面を表示する。本画面には、当該商品の説明や写真などの商品情報のほか、「ポイント登録へ」ボタンや「購入」ボタンが表示される。視聴者は、「ポイント登録へ」ボタンを選択すると次に進む。一方、「購入」ボタンを選択すると、後述の商品購入画面（図示略）に進む。なお、「購入」ボタンを選択して、商品を購入した場合の流れは上述のとおりである。
【００５７】
図２０に示すように、テレビジョン装置（６０）は、ポイント登録画面を表示する。視聴者は本画面中の「Ｅｄｙカード登録者」のアイコンボタンを選択して、次に進む。
【００５８】
図２１に示すように、テレビジョン装置（６０）は、視聴者を特定するための視聴者特定画面を表示する。視聴者は、本画面が表示されたときに自己のＥｄｙカードを読取装置（６１）にかざしてＩＣ情報を読み取らせる。読み取られたＩＣ情報はサーバ群（１）に送られて、当該ＩＣ情報に対応する視聴者情報がテレビジョン装置（６０）に送信される。
【００５９】
図２２に示すように、テレビジョン装置（６０）は、視聴者情報を確認するための視聴者情報確認画面を表示する。本画面には、電子マネー媒体を特定する番号、本システムの番号、お客様氏名が表示されるほか、「戻る」ボタンや「加算」ボタンが表示される。視聴者は、「加算」ボタンをクリックすると、上記商品紹介の番組を視聴したことに対するポイントがポイント管理システム（５０）により当該ＩＣポイントカード（アプリ）等に加算され、次に進む。
【００６０】
図２３に示すように、テレビジョン装置（６０）は、ポイントを付加したことを示すポイント確認画面が表示される。本画面には視聴者情報、お礼のメッセージ、付加したメッセージが表示される。
【００６１】
なお、図２〜図２３に示す各種画面や放送番組は一例であり、他のレイアウト画面や放送番組であってもよい。
【図面の簡単な説明】
【００６２】
【図１】本実施形態に係るショッピングオンデマンドシステムの構成概略図である。
【図２】トップ画面の一例を示す図である。
【図３】会員規約画面の一例を示す図である。
【図４】個人情報入力画面の一例を示す図である。
【図５】個人情報入力画面の一例を示す図である。
【図６】個人情報確認画面の一例を示す図である。
【図７】トップ画面の一例を示す図である。
【図８】電子マネー選択画面の一例を示す図である。
【図９】会員情報入力画面の一例を示す図である。
【図１０】会員登録情報画面の一例を示す図である。
【図１１】Ｅｄｙカード確認画面の一例を示す図である。
【図１２】Ｅｄｙカード登録確認画面の一例を示す図である。
【図１３】Ｅｄｙカード登録完了画面の一例を示す図である。
【図１４】トップ画面の一例を示す図である。
【図１５】商品選択画面の一例を示す図である。
【図１６】同商品選択画面の一例を示す図である。
【図１７】商品情報画面の一例を示す図である。
【図１８】番組画面の一例を示す図である。
【図１９】商品情報画面の一例を示す図である。
【図２０】ポイント登録画面の一例を示す図である。
【図２１】視聴者特定画面の一例を示す図である。
【図２２】視聴者情報確認画面の一例を示す図である。
【図２３】ポイント確認画面の一例を示す図である。
【符号の説明】
【００６３】
１・・・サーバ群
２０・・・商品管理端末
３０・・・配送管理データベース
３１・・・配送管理システム
４０・・・電子マネー決済システム
５０・・・ポイント管理システム
６０・・・テレビジョン装置
６１・・・読取装置
【図１】
2008305069.tif 000003
【図２】
2008305069.tif 000004
【図３】
2008305069.tif 000005
【図４】
2008305069.tif 000006
【図５】
2008305069.tif 000007
【図６】
2008305069.tif 000008
【図７】
2008305069.tif 000009
【図８】
2008305069.tif 000010
【図９】
2008305069.tif 000011
【図１０】
2008305069.tif 000012
【図１１】
2008305069.tif 000013
【図１２】
2008305069.tif 000014
【図１３】
2008305069.tif 000015
【図１４】
2008305069.tif 000016
【図１５】
2008305069.tif 000017
【図１６】
2008305069.tif 000018
【図１７】
2008305069.tif 000019
【図１８】
2008305069.tif 000020
【図１９】
2008305069.tif 000021
【図２０】
2008305069.tif 000022
【図２１】
2008305069.tif 000023
【図２２】
2008305069.tif 000024
【図２３】
2008305069.tif 000025